(57)【要約】      （修正有）【課題】駆動モーターを全く用いることなく甚だ簡略かつスムーズに、また遊技客にとっても便利な形でコイン状ＩＣタグを処理できる処理機構を提供する。【解決手段】コイン状ＩＣタグ１の投入口２を上部に設け、その投入先に該コイン状ＩＣタグ１を受け止める第一エリアＡを形成し、その第一エリアＡには投入されたコイン状ＩＣタグ１の真偽や価値残高などの認識、遊技動体の貸し出し、コイン状ＩＣタグ１の移行又は返却などの指令を行なう近傍の制御部３と無線通信するためのアンテナ４とソレノイド連結開閉機構５を設け、該第一エリアＡの先には価値残高ゼロのコイン状ＩＣタグ１が垂立した状態で自転動しかつ複数個が一列に連なり滞留するに足る滞留用下り傾斜通路６を設け、更にその先に先頭の価値残高ゼロのコイン状ＩＣタグ１に対する遊技客の入金に応じた課金書込を行いその価値残高以内の遊技動体の貸し出しを行なう。【選択図】図１
0003121004.tif 000002
【実用新案登録請求の範囲】
【請求項１】
価値残高を有するコイン状ＩＣタグの投入口を上部に設け、その投入先に該コイン状ＩＣタグを受け止める第一エリアを形成し、その第一エリアには投入されたコイン状ＩＣタグの真偽や価値残高などの認識、遊技動体の貸し出し、コイン状ＩＣタグの移行又は返却などの指令を行なう近傍の制御部と無線通信するためのアンテナとソレノイド連結開閉機構を設け、該第一エリアの先には価値残高ゼロのコイン状ＩＣタグが垂立した状態で自転動しかつ複数個が一列に連なり滞留するに足る滞留用下り傾斜通路を設け、更にその先に先頭の価値残高ゼロのコイン状ＩＣタグに対する遊技客の入金に応じた課金書込を行いその価値残高以内の遊技動体の貸し出しを行なうための制御部との無線通信用アンテナを備えると共にコイン状ＩＣタグの進留を決めるソレノイド連結開閉機構を設けた第二エリアを形成し、前記第一エリアの下方には返却すべきコイン状ＩＣタグ又はその類似物を落下させて受け入れ自転動させる返却用下り傾斜通路を該滞留用下り傾斜通路の下方に並設すると共に、それらの下り傾斜通路の先方に両者が合流する合流箇所を設けてそこから再びコイン状ＩＣタグの返却口側と回収口側に向け下り通路を分岐形成し、該合流箇所においてコイン状ＩＣタグを分岐先のいずれかの下り通路に振り分けるソレノイド連結振分機構を設けたことを特徴とする遊技機用コイン状ＩＣタグの処理機構。
【考案の詳細な説明】
【技術分野】
【０００１】この考案は、パチンコやスロットマシンなどのようにパチンコ球やメダルなどの遊技動体を貸し出し遊技させる遊技機（の台間機）に用いられるコイン状ＩＣタグの処理機構に関する。
【背景技術】
【０００２】最近においてパチンコ遊技場では現金の管理を容易化するためのプリペイドカードを更に便利なコイン状ＩＣタグに替えていくことが望まれている。このコイン状ＩＣタグとは一般に５００円硬貨をやや大きくしたような形状のＩＣタグであり、遊技機におけるパチンコ球やメダルなどの遊技動体の払出用媒体となるものであって、データの書込や読出等の記録手段、データの送受信を行う通信手段、これらを制御するコイン側制御手段などを内蔵しており、通信手段はアンテナにより非接触状態（無線）で可能となる。【０００３】このコイン状ＩＣタグを遊技動体の払出用媒体とする機構については、既にいくつかの提案がなされており、例えばコイン状ＩＣタグを上部にストックしつつ払出口に払出す箇所に遊技動体データを書き込む装置を設け、書き込まれたコイン状ＩＣタグを投入・通過させる通路を設けてそこに遊技媒体データの書込・読出装置を設けるとともに、価値残高ゼロになり初期化されたコイン状ＩＣタグを上方のストック箇所に搬送するもの（技術文献１参照）、コイン状ＩＣタグを出入可能状に保持する凹状保持部を円周上に複数個有する回動体を縦に軸装してこれをゼネバギヤ機構などを介しモーター駆動させ、回動軌道上の所定箇所にコイン状ＩＣタグに対しての通信手段を対設するもの（技術文献２、技術文献３参照）などが開示されている。【０００４】
【技術文献１】
特開２００１−３１２７０３
【技術文献２】
特開２００１−３２７７４７
【技術文献３】
特開２００１−３３１８３４
【考案の開示】
【考案が解決しようとする課題】
【０００５】上記の公知技術はそれぞれプリペイドカード等ではなしえない効果をあげ得るものであるが、いずれも駆動装置（モーター）とこれに連結する回動体、搬送ベルト、及び搬送ガイドやシャフト等を必要とし、その分、構造が複雑化し、コスト高になるものであった。本考案はかかる現状から、駆動モーターを全く用いることなく甚だ簡略かつスムーズに、また遊技客にとっても便利な形でコイン状ＩＣタグを処理できる処理機構を提供することを課題とする。
【課題を解決するための手段】
【０００６】価値残高を有するコイン状ＩＣタグ１の投入口２を上部に設け、その投入先に該コイン状ＩＣタグ１を受け止める第一エリアＡを形成し、その第一エリアＡには投入されたコイン状ＩＣタグ１の真偽や価値残高などの認識、遊技動体の貸し出し、コイン状ＩＣタグ１の移行又は返却などの指令を行なう近傍の制御部３と無線通信するためのアンテナ４とソレノイド連結開閉機構５を設け、該第一エリアＡの先には価値残高ゼロのコイン状ＩＣタグ１が垂立した状態で自転動しかつ複数個が一列に連なり滞留するに足る滞留用下り傾斜通路６を設け、更にその先に先頭の価値残高ゼロのコイン状ＩＣタグ１に対する遊技客の入金に応じた課金書込を行いその価値残高以内の遊技動体の貸し出しを行なうための制御部３との無線通信用アンテナ４を備えると共にコイン状ＩＣタグ１の進留を決めるソレノイド連結開閉機構５を設けた第二エリアＢを形成し、前記第一エリアＡの下方には返却すべきコイン状ＩＣタグ１又はその類似物を落下させて受け入れ自転動させる返却用下り傾斜通路７を該滞留用下り傾斜通路６の下方に並設すると共に、それらの下り傾斜通路６，７の先方に両者が合流する合流箇所８を設けてそこから再びコイン状ＩＣタグ１の返却口９側と回収口１０側に向け下り通路を分岐形成し、該合流箇所８においてコイン状ＩＣタグ１を分岐先のいずれかの下り通路に振り分けるソレノイド連結振分機構１１を設けて、本考案のコイン状ＩＣタグの処理機構とする。【０００７】上記におけるコイン状ＩＣタグ１、制御部３、無線通信用アンテナ４、ソレノイド連結開閉機構５、同振分機構１１等は、いずれも既に公知となり製品化されているものを同様に用いることが可能である。また別個に設けられている貨幣受入機構や遊技客が押すスタート或いは返却ボタン、その他各所のセンサー等に応じた制御部３における稼働ソフト及びハードも既成のもので十分対応できる。
【考案の効果】
【０００８】本考案はこのような構成であるから、在来の、例えば前記引例文献にあるような各種のコイン状ＩＣタグ処理装置に比べて更に簡略化され、そのための駆動装置を要しないにもかかわらず、処理機構がいかなる事態においてもスムーズに無駄なく進行し、遊技客に対しても紙幣を用いる場合とコイン状ＩＣタグを用いる場合にそれぞれワンタッチで即座に対応できるなどの効果がある。
【考案を実施するための最良の形態】
【０００９】紙幣投入口及びその識別装置（図示せず）、コイン状ＩＣタグの投入口２、各種表示ランプ及びディスプレイ（図示せず）、プレイスタートボタン及びコイン状ＩＣタグ返却ボタン（図示せず）などを備えた通常のパチンコ機又はスロットマシン台間機において、その略中央部に図１に示したようなコイン状ＩＣタグの処理機構をセットする。すなわちその概略外径寸法は幅（厚み）約１０ｍｍ、縦約２４０ｍｍ、横（奥行）約１６３ｍｍの略コ字状を呈するものであり、前記のように価値残高を有するコイン状ＩＣタグ１の投入口２を上部に設け、その投入先に該コイン状ＩＣタグ１を受け止める第一エリアＡを形成し、その第一エリアＡには投入されたコイン状ＩＣタグ１の真偽や価値残高などの認識、遊技動体の貸出し、コイン状ＩＣタグ１の移行又は返却などの指令を行なう近傍の制御部３と無線通信するためのアンテナ４とソレノイド連結開閉機構５を設け、該第一エリアＡの先には価値残高ゼロのコイン状ＩＣタグ１が垂立した状態で自転動しかつ複数個が一列に連なり滞留するに足る滞留用下り傾斜通路６を設け、更にその先に先頭の価値残高ゼロのコイン状ＩＣタグ１に対する遊技客の入金に応じた課金書込を行いその価値残高以内の遊技動体の貸出しを行なうための制御部３との無線通信用アンテナ４を備えると共にコイン状ＩＣタグ１の進留を決めるソレノイド連結開閉機構５を設けた第二エリアＢを形成し、前記第一エリアＡの下方には返却すべきコイン状ＩＣタグ１又はその類似物を落下させて受け入れ自転動させる返却用下り傾斜通路７を該滞留用下り傾斜通路６の下方に並設すると共に、それらの下り傾斜通路６，７の先方に両者が合流する合流箇所８を設けてそこから再びコイン状ＩＣタグ１の返却口９側と回収口１０側に向け下り通路を分岐形成し、該合流箇所８においてコイン状ＩＣタグ１を分岐先のいずれかの下り通路に振り分けるソレノイド連結振分機構１１を設ける。【００１０】ここにおいて使用される制御部３、アンテナ４、ソレノイド連結開閉機構５及びソレノイド連結振分機構１１などの部品は、しずれも既成同様のものを転用すればよい。なお随所にコイン状ＩＣタグの有無などを探知するセンサー１２をセットし、これらはいずれも制御部３に連結される。【００１１】今、コイン状ＩＣタグを持っていない客が台間機に紙幣を投入すると、その金額は第二エリアＢにおける残高０のコイン状ＩＣタグに課金され、スタートボタンを押すことにより遊技動体の貸し出しがなされる。そこで残高０になるまで遊技が行なわれれば、そのコイン状ＩＣタグはそのまま第二エリアＢに滞留し、次の機会を待つことになる。ところが客が途中でコイン状ＩＣタグの返却を希望する場合は、返却ボタンを押すことにより第二エリアＢの残高を有するコイン状ＩＣタグが返却口９にソレノイド連結開閉機構５及びソレノイド連結振分機構１１の働きにより返却され、同時に別のソレノイド連結開閉機構５が開いて、滞留用下り傾斜通路６に滞留している残高０のコイン状ＩＣタグ１が１つずれ下がり補充される。【００１２】またコイン状ＩＣタグを持っている客は、それを投入口２に投入し、残高を有する正当なコイン状ＩＣタグであればそれは第一エリアＡ内に滞留するので、スタートボタン押しとともに遊技動体の貸し出しがなされるが、偽物ないし異物とみなされる場合はソレノイド連結開閉機構５が働いてそこより落下し、返却用下り傾斜通路７を経てソレノイド連結振分機構１１で振り分けられ、返却口９に返却される。なお、客が途中で遊技を中断しコイン状ＩＣタグの返却を求める場合も返却ボタン押しとともにソレノイド連結開閉機構５とソレノイド連結振分機構１１が働いて同様にその第一エリアＡ内のコイン状ＩＣタグが返却される。【００１３】次に第一エリアＡ内の正当なコイン状ＩＣタグで遊技し、残高が０になった場合は、その先の滞留用下り傾斜通路６の後端にあるセンサー１２により滞留しているコイン状ＩＣタグが満杯と認識されたときに、当該コイン状ＩＣタグはソレノイド連結開閉機構５及びソレノイド連結振分機構１１により回収口１０の方に導かれる。また満杯でないときは、その残高０のコイン状ＩＣタグは隣のソレノイド連結開閉機構５により滞留用下り傾斜通路６に移され、補充に使われる。このようにして回収側に移行して失われた分のみ、定期的に人力で補充する。なお、以上のような制御部におけるプログラムや配線等は、常套方法で容易に実現できること、また本考案はかかる例に限定されるものでないことは言うまでもない。
【産業上の利用可能性】
【００１４】このような本考案のコイン状ＩＣタグの処理機構は、駆動装置を要せずより簡略化できるから、コスト的に有利であると同時にメンテナンスも容易となり、製造上も問題なくメリットもあるから、産業上の利用可能性は十分にある。
【図面の簡単な説明】
【００１５】
【図１】本考案一例を示す側面図
【図２】本考案を用いた台間機の例を示す側面図
【符号の説明】
【００１６】Ａ……第一エリア
Ｂ……第二エリア
１……コイン状ＩＣタグ
２……投入口
３……制御部
４……アンテナ
５……ソレノイド連結開閉機構
６……滞留用下り傾斜通路
７……返却用下り傾斜通路
８……合流箇所
９……返却口
１０……回収口
１１……ソレノイド連結振分機構
１２……センサー
【図１】
0003121004.tif 000003
【図２】
0003121004.tif 000004